(57)【要約】      （修正有）【課題】コンパクトな構造、軽量で携行に至便であり、かつ外観上の体裁も良好な小動物の排泄物等処理具で、排泄物の取入れ、後処理等の操作性が良好な小動物の排泄物等処理具を提供する。【解決手段】処理具１００は、排泄物等を収納する収納部１０、第１レバー２０、掛止軸３０及び第２レバー４０を主な構成部材としている。収納部１０は、前面板１１、後面板１２、左側面板１３、右側面板１４、底面板１５からなり、上部は開口１６されている。【選択図】図１
0003173509.tif 000002
【実用新案登録請求の範囲】
【請求項１】
上部を開口した有底で函状の排泄物等の収納部と、
前記収納部の左右外側に回動軸を介し回動可能に取り付けられた第１レバーと、
前記第１レバーの内側に水平状に架設された掛止軸と、
前記掛止軸に回転可能に装架された矩形状の第２レバーと、
から構成されたことを特徴とする小動物の排泄物等処理具。
【請求項２】
請求項１記載の小動物の排泄物等処理具において、
前記収納部における排泄物等の取入れ口である前面板の上周縁は傾斜面を形成すると共に、
前記収納部における底面角部は曲面を形成している、
ことを特徴とする小動物の固形排泄物等の除去容器。
【請求項３】
請求項１記載の小動物の排泄物等処理具において、
前記掛止軸の取付位置は少なくとも前記第１レバーの左右垂直部における長手方向中心線より上部としている、
ことを特徴とする小動物の排泄物等処理具。
【請求項４】
請求項１記載の小動物の排泄物等処理具において、
前記第１レバーの水平部と前記第２レバーの把持部間には所定の空隙が設定されている、
ことを特徴とする小動物の排泄物等処理具。
【請求項５】
請求項１記載の小動物の排泄物等処理具において、
前記第２レバーのほぼ中央に切欠部を設けている
ことを特徴とする小動物の排泄物等処理具。
【請求項６】
請求項１、請求項３、請求項４又は請求項５の何れかに記載の小動物の排泄物等処理具において、前記掛止軸には前記第１レバーと第２レバーの間隔を保持する間隔保持具が取り付けられている、
ことを特徴とする小動物の排泄物等処理具。
【考案の詳細な説明】
【技術分野】
【０００１】
本考案は、小動物の排泄物等処理具に関し、より詳しくは、ペット犬の飼い主が住宅周辺の道路や公園内で落下している犬、猫又はウサギ等の固形排泄物や紙くず等を採取して廃棄する小動物の排泄物等処理具に関する。
【背景技術】
【０００２】
近年、我国におけるペットブームは、顕著な社会現象となっている。総務省の発表によれば、平成２１年度の犬猫飼育頭数は、２２３４万頭になっており、子供（１５才未満）の数、１７１４万人を大きく上回っている。このペットブーム要因の一つは、ペットが傍にいれば、ヒトには安心感と癒し効果があると考えられている。
【０００３】
多くのペット犬は、朝夕における屋外の散歩時に排便する習性があり、飼い主は、犬の排泄物（以下、固形排泄物をいう）を採取し、自宅に持ち帰り廃棄処理することは、ペット犬等飼い主のマナーとして望まれている。大多数の飼い主は、それぞれ好みの排泄物処理器具を持参して犬の散歩に同伴している。従前からの排泄物処理道具として、飼い主は、ポリ袋、スコップやティッシュペーパー等を所持していたが、これらは使い勝手の悪さ、外観的な見映えが悪い等の理由から敬遠される傾向にあり、これに代わる各種の排泄物処理器具が多数開発され、提案、市販されている。
【０００４】
排泄物処理器具の多くは携帯式であり、その構造については、２種類に大別することができる。その（１）は、飼い犬の排泄物が地表面に落下する前に、直に処理器具内に取り込む受納型である。例えば、特許文献１（第２頁、図２参照）に示すように、散歩中の犬が排便姿勢をとったら、犬の尻下に受け部（容器）を滑り込ませて排泄物をキャッチするものである。また特許文献２（第１頁、図１参照）には、排便姿勢となった犬の尻下に柄から伸びた連結管の先端に設けた蓋付きの筒体をあてがって排泄物を受納する器具が開示されている。その（２）は、地表面に落下した飼い犬、又は他の犬の排泄物を容器内に採取する回収型である。例えば、特許文献３（第１頁、図２参照）は、開閉把手と支持把手等を作動して地表面の排泄物を掴み取り、ビニール又は紙製の袋内に回収するものである。また特許文献４（第１頁、図１参照）は、前部に斜め前下がり状の開口部をもつ有底容器状の収納容器体と、該収納容器体の開口部の上縁部分を中心として回動し、該開口部を開閉可能な蓋体と、該収納容器体の左右側面に支持軸で枢着された把手体と、該把手体と該蓋体とを連結する連結体とを具備した犬の糞取り器で、把手体と連結体を作動して収納容器体を開口し、排泄物を靴等によって収納容器体に入れたり（第６頁、参照）、掻き込んだり、掬い取ったりするものである。
【先行技術文献】
【特許文献】
【０００５】
【特許文献１】特開２００４−２４８６６０号公報
【特許文献２】特開２００３−３１００８４号公報
【特許文献３】特開２００１−１０３８５９号公報
【特許文献４】実用新案登録第３０４１６３５号公報
【考案の概要】
【考案が解決しようとする課題】
【０００６】
しかしながら、上記先行技術である受納型の特許文献１は、排泄物の取込時には飼い主が地面近くまで屈みこんで容器を犬の尻下まで運び、そのままの姿勢で排便が終わるのを待たねばならないので、高齢者が使用することには不向きである。また特許文献２は、排泄物の取込時に飼い主が地面近くまで屈む必要がなく、使い勝手に優れるが、連結管の先端に取り付けた筒体と蓋の開閉構造が複雑であり、かつ複雑ゆえに故障しやすく経済性に欠けるところがある。また連結管は長尺であり、その先端の筒体とからなるデザインは、外見上いかにも見映えが悪く、飼い主は毎日のように携行して使用することをためらうことになる。回収型の特許文献３における器具全体は、比較的にシンプルなデザインで、見映えは良好であるが、グラブバケットには袋を取り付けるので、外観上不体裁となっている。また構成部品の点数が多く、特許文献２と同様に開閉構造が複雑であり、複雑ゆえに故障しやすいという欠点がある。また特許文献４は、部品点数は少なく、シンプルな構造で蓋体の操作性も良好と思われるが、排泄物の取込みは靴等で収納容器体にけり込んで入れるので（第６頁、参照）、衛生的に大きな問題である。さらに排泄物の掻き取りや掬いとるためには、小型のレーキ（掻き均し具）等の器具を必要とし、使い勝手が悪いという欠点がある。
【０００７】
そこで本考案が解決しようとする第１の課題は、コンパクトな構造、軽量で携行に便利であり、かつ外観上の体裁も良好な小動物の排泄物等処理具の提供である。
第２の課題は、排泄物の取入れ、後処理等の操作性が良好な小動物の排泄物等処理具の提供である。
【課題を解決するための手段】
【０００８】
本願考案者は、上記従来技術が有する各種の不具合、問題点に鑑み、鋭意検討を重ねて本考案を完成したものである。課題を解決するための手段は、本願、実用新案登録請求の範囲の各請求項に記載の考案であり、その具体的な解決手段は、以下の通りである。
【０００９】
課題を解決するための第１の考案は、請求項１に記載の考案であり、
上部を開口した有底で函状の排泄物等の収納部と、前記収納部の左右外側に回動軸を介し回動可能に取り付けられた第１レバーと、前記第１レバーの内側に水平状に架設された掛止軸と、前記掛止軸に回転可能に装架された矩形状の第２レバーと、から構成されたことを特徴としている。
【００１０】
課題を解決するための第２の考案は、請求項２に記載の考案であり、
請求項１記載の小動物の排泄物等処理具において、
前記収納部における排泄物等の取入れ口である前面板の上周縁は傾斜面を形成すると共に、前記収納部における底面角部は曲面を形成している、ことを特徴としている。
【００１１】
課題を解決するための第３の考案は、請求項３に記載の考案であり、
請求項１記載の小動物の排泄物等処理具において、
前記掛止軸の取付位置は少なくとも前記第１レバーの左右垂直部における長手方向中心線より上部としている、ことを特徴としている。
【００１２】
課題を解決するための第４の考案は、請求項４に記載の考案であり、
請求項１記載の小動物の排泄物等処理具において、
前記第１レバーの水平部と前記第２レバーの把持部間には所定の空隙が設定されている、ことを特徴としている。
【００１３】
課題を解決するための第５の考案は、請求項５に記載の考案であり、
請求項１記載の小動物の排泄物等処理具において、
前記第２レバーのほぼ中央に切欠部を設けている、ことを特徴としている。
【００１４】
課題を解決するための第６の考案は、請求項６に記載の考案であり、
請求項１、請求項３、請求項４又は請求項５の何れかに記載の小動物の排泄物等処理具において、前記掛止軸には前記第１レバーと第２レバーの間隔を保持する間隔保持具が取り付けられている、ことを特徴としている。
【考案の効果】
【００１５】
本考案に係る小動物の排泄物等処理具は、上記の構成になるから以下の効果を奏する。
すなわち、第１の考案によれば、「上部を開口した有底で函状の排泄物等の収納部と、前記収納部の左右外側に回動軸を介し回動可能に取り付けられた第１レバーと、前記第１レバーの内側に水平状に架設された掛止軸と、前記掛止軸に回転可能に装架された矩形状の第２レバーと、から構成された」という特徴的構成要件により、コンパクトな構造、軽量で携行に便利であり、かつ外観上の体裁も良好な小動物の排泄物等処理具の提供という、第１の課題を解決することができた。
【００１６】
また、第２の考案によれば、「前記収納部における排泄物等の取入れ口である前面板の上周縁は傾斜面を形成すると共に、前記収納部における底面角部は曲面を形成している」という特徴的構成要件により、排泄物の取入れ、後処理等の操作性が良好な小動物の排泄物等処理具の提供という、第２の課題を解決することができた。
【００１７】
また、第３の考案によれば、「前記掛止軸の取付位置は少なくとも前記第１レバーの左右垂直部における長手方向中心線より上部としている」という特徴的構成要件により、携行時は掛止軸を片手で把持して歩行できると共に、排泄物の取入れやその他の廃棄物も簡単に片手で操作できる効果を奏する。
【００１８】
第４の考案によれば、「前記第１レバーの水平部と前記第２レバーの把持部間には所定の空隙が設定されている」という特徴的構成要件により、第１レバーの回動と第２レバーの回転操作が円滑に行うことができる。
【００１９】
また、第５の考案によれば、「前記第２レバーのほぼ中央に切欠部を設けている」という特徴的構成要件により、排泄物の取入れ作業時、切欠部は収納部の周縁に係止され、第２レバーの円滑操作に寄与することができる。
【００２０】
第６の考案によれば、「前記掛止軸には前記第１レバーと第２レバーの間隔を保持する間隔保持具が取り付けられている」という特徴的構成要件により、第２レバーの片側への偏りを防止することができ、第４の考案と同様に第１レバーの回動と第２レバーの回転操作を円滑に行うことができる。
【図面の簡単な説明】
【００２１】
【図１】は、本考案に係る小動物の排泄物等処理具の構成部材を分離して示す分解斜視図である。
【図２】は、同構成部材を組み立てた状態の一部切欠正面図である。
【図３】は、図２における３−３線断面図である。
【図４】（イ）は、本考案に係る小動物の排泄物等処理具の使用状態における排泄物等を取入れる前の正面図、（ロ）は、排泄物等を取入れた後の一部正面図である。
【図５】は、同使用状態における排泄物等を取入れるための動作手順を示す一部切欠側面図で、（イ）は、排泄物等を取入れる前の状態を示し、（ロ）は、排泄物等を取入れるための第１レバーと第２レバーの動作を示している。
【考案を実施するための形態】
【００２２】
以下、本考案に係る小動物の排泄物等処理具（以下、処理具１００という）の実施形態について図面を参照にして詳細に説明する。図１及び図２に示すように、処理具１００は、排泄物等を収納する収納部１０、第１レバー２０、掛止軸３０及び第２レバー４０を主な構成部材としている。収納部１０は、前面板１１、後面板１２、左側面板１３、右側面板１４、底面板１５からなり、上部は開口１６されている。収納部１０は、硬質樹脂、例えば、ＡＢＳ樹脂、ポリカーボネート等を素材として一体成型される。１１ａは、前面板１１の上周縁に形成された傾斜面である。収納部１０の底部となる底面板１５の角部１５ａは曲面としている。１３ａ、１４ａは、かしめ用貫通孔、１７、１８はかしめ用ピン、１７ａ、１８ａは座金である。第１レバー２０は、アルミ製のＬ型アングル又は硬質樹脂を素材として製作されるもので、水平部２１と左右の垂直部２２、２３からなり、門形をなしている。垂直部２２、２３の下端部近傍には、かしめ用貫通孔２２ａ、２３ａが穿設され、垂直部２２、２３の上方には掛止軸３０を固定するためのビス孔２２ｂ、２３ｂが穿設されている。２２ｃ、２３ｃはビスねじ、２２ｄ、２３ｄは座金である。掛止軸３０は、縦断面視円形状の木材、硬質樹脂を素材とし、第１レバー２０の左右の垂直部２２、２３の内側に水平状に架設される。３０ａ、３０ｂは、間隔保持具で、第１レバー２０と第２レバー４０間に装着され、第２レバー４０の円滑な回転運動を補助するためのものである。間隔保持具３０ａ、３０ｂは、コイルばねを図示しているが、硬質樹脂製の円筒体でもよい。第２レバー４０は、アルミ製又は硬質樹脂製のＬ型アングルからなり、上部の把持部４１、下部の排泄物等の取入れ板４２は、ビスねじ４３ｄ、４４ｄによって左右側板４３、４４と連接されて矩形枠状をなしている。左右側板４３、４４のほぼ中央には切欠部４３ａ、４４ａ設けられており、左右側板４３、４４の頂部４３ｂ、４４ｂと切欠部４３ａ、４４ａのほぼ中間には掛止軸３０を挿通する貫通孔４３ｃ、４４ｃが設けられている。切欠部４３ａ、４４ａは、第２レバー４０の回転を規制するストッパーの働きをするもので、収納部１０の後面板１２の周縁１１ｂに当接するように設けられている。
【００２３】
つぎに、上記のように構成された処理具１００の組立・製作作業は、以下の手順で行われる。まず掛止軸３０を第２レバー４０の貫通孔４３ｃ、４４ｃに挿通し、掛止軸３０の両端部外方に間隔保持具３０ａ、３０ｂが装着され、図２に示すように、ビスねじ２２ｃ、２３ｃと座金２２ｄ、２３ｄによって固定される。つぎに第１レバー２０の下端部近傍に設けた貫通孔２２ａ、２３ａを収納部１０の貫通孔１３ａ、１４ａに接合し、かしめ用ピン１７、１８を貫通孔２２ａ、２３ａ及び１３ａ、１４ａに挿通し、第１レバー２０を回動可能にかしめて、処理具１００の組立作業は完了する。なお、貫通孔２２ａ、２３ａ及び１３ａ、１４ａの孔径は、かしめ用ピン１７、１８の軸径よりやや大としている。図１〜図３に示すＨ１は、収納部１０の高さ寸法で、約６０〜１００ｍｍ、Ｗは巾寸法で、約１００〜１５０ｍｍ、奥行寸法Ｘは、約１００〜１５０ｍｍである。Ｈ２は、第１レバー２０の高さ寸法で約１５０〜１８０ｍｍ、Ｈ３は、第２レバー４０の高さ寸法で約１７０〜２００ｍｍとされる。
【００２４】
図４（イ）は、処理具１００の所有者（犬の飼い主等）が片手で把持、携行する時の状態を示している。処理具１００の所有者は、親指Ｔ１、人差し指Ｔ２、中指Ｔ３、薬指Ｔ４及び小指Ｔ５を用いて、図示するように、親指Ｔ１で第１レバー２０の水平部２１と第２レバー４０の右側板４４の上部を抑えるように保持し、人差し指Ｔ２、中指Ｔ３、薬指Ｔ４及び小指Ｔ５で掛止軸３０を下方から支持し、吊下げて携行する。（ロ）は、処理具１００の収納部１０内に排泄物Ｚ等を取入れ、第１レバー２０と第２レバー４０を支持、携行する時の状態を示している。図示するように、処理具１００の把持方法等は、排泄物Ｚ等の取入れ前の状態とほぼ同様であるから、説明を省略する。
【００２５】
図５（イ）〜（ロ）は、処理具１００の使用状態における操作手順を示す側面図である。排泄物Ｚ等とは、道路又は公園等の地表面ＦＬに落下した又は落下している犬、猫又はウサギ等の排泄物あるいは、ちり紙等の落下物である。地表面ＦＬの排泄物Ｚ等の取入れは以下のような手順で行われる。図５（イ）に示すように、地表面ＦＬに、犬等の排泄物等Ｚがあれば、まず収納部１０の前面板１１を地表面ＦＬに接地し、開口１６を排泄物Ｚに正対させ、第１レバー２０の水平部２１近傍を矢印のＡ方向に約２０〜３０°傾斜させる（このとき、第２レバー４０の切欠部４３ａ、４４ａは、収納部１０の後面板１２の周縁１１ｂに当接している）。つぎに親指Ｔ１と人差し指Ｔ２で把持部４１を摘まんで、取入れ板４２を矢印Ｂ方向に跳ね上げるように作動させながら、第１レバー２０はＣ方向に傾斜させ、排泄物等Ｚをオーバーラップしながら取入れ板４２をＤ地点に接地させる（図５（ロ）の状態）。つぎに第１レバー２０は、親指Ｔ１で掛止軸３０を支点にＥ方向に引きながら、第２レバー４０の把持部４１はＦ方向に自動的に傾斜して、第２レバー４０はＧ方向に移動するので、取入れ板４２は、地表面ＦＬを掃くようにして排泄物等Ｚを収納部１０内に取り入れることができる。排泄物等Ｚの取入れ後は、収納部１０を起立させるように第１レバー２０と第２レバー４０を把持して引き上げると、処理具１００は、図４（ロ）の状態になり、所有者は、これを自宅等に持ち帰り、排泄物等Ｚは便器内に投入して廃棄するか、又はビニール袋内に入れられてゴミ処理される。処理具１００は、洗浄後、乾燥されて翌日の使用に備える。
【産業上の利用可能性】
【００２６】
本考案に係る処理具１００は、道路や公園等に落下している犬の排泄物は、もちろん、猫、ウサギやイノシシ等他の小動物の排泄物、公園内の散歩者等が落としたチリ紙等を簡単に取込むことができ、住宅地域における環境の美化、保全に寄与することができる。
【符号の説明】
【００２７】
１００          処理具
１０            収納部
１１            前面板
１１ａ          傾斜面
１２            後面板
１３            左側面板
１４            右側面板
１５            底面板
１５ａ          角部
１６            開口
２０            第１レバー
２１            水平部
２２、２３      垂直部      
３０            掛止軸
３０ａ、３０ｂ  間隔保持具
４０            第２レバー
４１            把持部
４２            取入れ板
４３、４４      左右側板
４３ａ、４４ａ  切欠部
【図１】
0003173509.tif 000003
【図２】
0003173509.tif 000004
【図３】
0003173509.tif 000005
【図４】
0003173509.tif 000006
【図５】
0003173509.tif 000007
【手続補正書】
【提出日】平成23年11月25日(2011.11.25)
【手続補正１】
【補正対象書類名】図面
【補正対象項目名】図３
【補正方法】変更
【補正の内容】
【図３】
0003173509.tif 000008
【手続補正書】
【提出日】平成23年12月7日(2011.12.7)
【手続補正１】
【補正対象書類名】実用新案登録請求の範囲
【補正対象項目名】請求項２
【補正方法】変更
【補正の内容】
【請求項２】
請求項１記載の小動物の排泄物等処理具において、前記収納部における排泄物等の取入れ口である前面板の上周縁は傾斜面を形成すると共に、前記収納部における底面角部は曲面を形成している、ことを特徴とする小動物の排泄物等処理具。